(57)【要約】      （修正有）【課題】体積を縮小でき運搬収納に便利な伸縮式アルミ脚立を提供する。【解決手段】  主に４本のサポート棒１０を組合せ２本のはしごを構成し、該はしごの上端は相互に可動接続され下端は展開可能で、折畳み式引き棒４０により展開角度の限定を行い、三角錐フレーム構造を形成し、分岐棒１１には凹導槽１１０を設置し、対応する分岐棒１１の嵌接レール１１１に挿入接続し、対応する分岐棒１１は上下に伸縮スライド移動し、予定位置にスライド動台５４を固定し、該各分岐棒１１は１個以上の凹嵌スライド槽１１２を含み、該凹嵌スライド槽１１２内には可動棒台６０を組合わせ、該凹嵌スライド槽１１２内には固定部品７０を設置し、該可動棒台６０に対してスライド動範囲を制限し、足踏み棒２０は該可動棒台６０上に固定し、これにより該可動棒台６０は該分岐棒１１において移動し、該凹嵌スライド槽１１２の上端出口位置には棒台を固定し、足踏み棒を該棒台上と該分岐棒に結合する。【選択図】図１
0003117751.tif 000002
【実用新案登録請求の範囲】
【請求項１】
伸縮式アルミ脚立は４本のサポート棒が２本づつ対応し組み合わさり２本のはしごを構成し、該２本のはしごの上端は相互に可動接続され、かつ下端は展開可能で、折畳み式の引き棒により展開角度の限定を行い、三角錐のフレーム構造を形成し、
該４本のサポート棒はそれぞれ複数の同一形態の分岐棒を相互に組合せ接続し構成され、各１本の分岐棒には凹導槽を設置し、もう１本の分岐棒の嵌接レールに挿入接続し、相互に対応する分岐棒は上下に伸縮スライド移動が可能で、また予定の位置にはスライド動台を固定し、
該各分岐棒は少なくとも１個の凹嵌スライド槽を含み、該凹嵌スライド槽内には該凹嵌スライド槽内でスライド動を行う可動棒台を組合わせ、該凹嵌スライド槽内には固定部品を突出設置し、該可動棒台に対してスライド動範囲を制限し、該足踏み棒は該可動棒台上に固定し、これにより該可動棒台は該分岐棒の上部と中央位置において移動し、該凹嵌スライド槽の上端出口位置には棒台を固定し、別の足踏み棒を該棒台上と該分岐棒に結合し、
該引き棒折畳み後の２本のはしごは閉鎖され、該スライド動台を緩めるだけで相対する該分岐棒の下方へのスライド移動により収縮し、サポート棒の高さは低くなり、さらに該可動棒台は該分岐棒上でスライド移動可能なため、該足踏み棒間は相互に重ね合わせられることを特徴とする伸縮式アルミ脚立。
【請求項２】
前記２本の相対する分岐棒の各１本の分岐棒上の凹導槽の水平断面は概ねT型を呈し、該各１本の分岐棒上の嵌接レールの水平断面も概ねT型を呈し、これにより前記２本の分岐棒は該嵌接レールが該凹導槽内に挿入接続することにより、軸方向の上下伸縮移動が可能となり、水平方向では離脱しないことを特徴とする請求項１記載の伸縮式アルミ脚立。
【請求項３】
前記２本の対応する分岐棒の各１本の分岐棒の凹導槽は概ね鳩尾型を呈し、前記各１本の分岐棒の嵌接レールもまた鳩尾型を呈することを特徴とする請求項１記載の伸縮式アルミ脚立。
【請求項４】
前記サポート棒を構成する多数の分岐棒の２本の分岐棒間の挿入接続軸は上下に伸縮移動し、予定の高度に伸長後、内１本の分岐棒の径方向上のスライド動台における定位により、別の分岐棒上の径方向の凹孔に対応し固定を行い、前記２本の分岐棒間を制限し伸縮移動を行い、さらに緊密に前記２本の分岐棒を相互に合わせ固定し、連結することにより外部からの力を受け止めることを特徴とする請求項１記載の伸縮式アルミ脚立。
【請求項５】
前記各スライド動台は少なくとも相対する分岐棒に水平設置する係合固定ピンを含み、該係合固定ピンの一端は別の分岐棒上の凹孔と対応し、前記スライド動台は前記分岐棒外側部に組合され、その内縁は該各１本の係合固定ピンに対応し押しピンブロックを具え、該押しピンブロックは少なくとも１個の斜め押し面と少なくとも１個の接触面を具え、前記スライド動台は前記分岐棒外側面上においてスライド動し、該押しピンブロックの斜め押し面は該係合固定ピンの反対端から該凹孔方向に向かい押上げ、該係合固定ピンの一端は該凹孔に嵌入後、同時に該係合固定ピン上の圧縮バネを圧縮し、該接触面は該係合固定ピンの反対端に接触固定し、該係合固定ピンの該凹孔退出を制限し、このように、伸長した分岐棒の下方への収縮を制限することを特徴とする請求項４記載の伸縮式アルミ脚立。
【請求項６】
前記多数の分岐棒は相互に挿入接続しサポート棒を形成し、前記分岐棒の挿入接触面の少なくとも片側面上には凹嵌スライド槽を形成し、前記足踏み棒の固定を提供し、該凹嵌スライド槽に設置する可動棒台は底部に設置する嵌接部により凹嵌スライド槽内に嵌入試、前記分岐棒中ほど位置の凹嵌スライド槽内には固定部品を固定し、該固定部品により該可動棒台を止め、これにより該足踏み棒は前記分岐棒外側に沿って上部と中央部間において上下スライド移動を行い、前記分岐棒が相互に運動し収縮する時、該足踏み棒間は相互にぶつかり影響することはなく、しかも該２本の分岐棒間は相互に運動し伸長し、該固定部品により該可動棒台を連動し押し、該可動棒台は該分岐棒の伸長に従い引上げられ、使用時には、該分岐棒の中央部に定位され、人は足で踏み登ることができることを特徴とする請求項１記載の伸縮式アルミ脚立。
【請求項７】
前記多数の分岐棒は相互に挿入接続しサポート棒を形成し、該分岐棒の挿入接続面の少なくとも片側面上には鳩尾型凹嵌スライド槽を形成し、該足踏み棒の固定を提供し、該凹嵌スライド槽内に設置する可動棒台は底部に設置する鳩尾方嵌接部により該凹嵌スライド槽内に嵌入することを特徴とする請求項１記載の伸縮式アルミ脚立。
【考案の詳細な説明】
【技術分野】
【０００１】
本考案は一種の伸縮式アルミ脚立に関する。特に一種の収納時に体積を減少させ、運搬或いは収納時に場所を取らない伸縮式アルミ脚立に係る。
【背景技術】
【０００２】
伸縮式脚立の高さは通常は２〜３メートルで、これより高いものもある。公知の伸縮フレームは２本のコの字型支柱間に予定の間隔を開け、多数の踏み板を水平に固定し片側のはしごを構成し、２本のはしご上端を相互に可動接続後、下端を展開可能とし、折畳み式連続棒を利用し２本の支柱の展開角度を限定し、三角錐構造を形成し、はしご上の踏み板を踏み上ることができるものである。
しかし、公知の伸縮脚立の収納は折畳み式連続棒の折畳みにより２本の支柱を閉鎖合わせることができるだけで、その折畳み後の高さは一般には使用時よりも高く、非常に場所をとる高さ(長さ)であり、収納は容易でない。特に長すぎる支柱(フレーム)は家庭の上下階を持ち運び使用する時には、周囲や物品にぶつからないよう持ち運ぶのは非常に困難である。さらに、長い距離を運搬する時には、トラックに載せるしか方法はなく、小型車ではスペースが足りず載せることができないため、購入しても持ち帰るのに困難である。またメーカーが商品を出荷、運搬する時にも輸送費が高くなってしまうという問題があった。
【特許文献１】特開平１０−２３１６７４号公報
【考案の開示】
【考案が解決しようとする課題】
【０００３】
公知構造には以下の欠点があった。
すなわち、公知の伸縮脚立は折畳み式連続棒の折畳みにより２本の支柱を閉鎖合わせることができるだけで、その折畳み後の高さは一般には使用時よりも高いため、収納が容易でなく、さらに運搬にも困難を来たしている。
本考案は上記構造の問題点を解決した伸縮式アルミ脚立を提供するものである。
【課題を解決するための手段】
【０００４】
上記課題を解決するため、本考案は下記の特徴を有する伸縮式アルミ脚立を提供する。
１．本考案の請求項１に記載の伸縮式アルミ脚立は、主に伸縮式アルミ脚立は４本のサポート棒が２本づつ対応し組み合わさり２本のはしごを構成し、該２本のはしごの上端は相互に可動接続され、かつ下端は展開可能で、折畳み式の引き棒により展開角度の限定を行い、三角錐のフレーム構造を形成し、該４本のサポート棒はそれぞれ複数の同一形態の分岐棒を相互に組合せ接続し構成され、各１本の分岐棒には凹導槽を設置し、もう１本の分岐棒の嵌接レールに挿入接続し、相互に対応する分岐棒は上下に伸縮スライド移動が可能で、また予定の位置にはスライド動台を固定し、該各分岐棒は少なくとも１個の凹嵌スライド槽を含み、該凹嵌スライド槽内には該凹嵌スライド槽内でスライド動を行う可動棒台を組合わせ、該凹嵌スライド槽内には固定部品を突出設置し、該可動棒台に対してスライド動範囲を制限し、該足踏み棒は該可動棒台上に固定し、これにより該可動棒台は該分岐棒の上部と中央位置において移動し、該凹嵌スライド槽の上端出口位置には棒台を固定し、別の足踏み棒を該棒台上と該分岐棒に結合し、該引き棒折畳み後の２本のはしごは閉鎖され、該スライド動台を緩めるだけで相対する該分岐棒の下方へのスライド移動により収縮し、サポート棒の高さは低くなり、さらに該可動棒台は該分岐棒上でスライド移動可能なため、該足踏み棒間は相互に重ね合わせられることを特徴とする。
２．請求項２に記載の伸縮式アルミ脚立は、請求項１の場合において、
前記２本の相対する分岐棒の各１本の分岐棒上の凹導槽の水平断面は概ねT型を呈し、該各１本の分岐棒上の嵌接レールの水平断面も概ねT型を呈し、これにより前記２本の分岐棒は該嵌接レールが該凹導槽内に挿入接続することにより、軸方向の上下伸縮移動が可能となり、水平方向では離脱しないことを特徴とする。
３．請求項３に記載の伸縮式アルミ脚立は、請求項１の場合において、
前記２本の対応する分岐棒の各１本の分岐棒の凹導槽は概ね鳩尾型を呈し、前記各１本の分岐棒の嵌接レールもまた鳩尾型を呈することを特徴とする。
４．請求項４に記載の伸縮式アルミ脚立は、請求項１の場合において、
前記サポート棒を構成する多数の分岐棒の２本の分岐棒間の挿入接続軸は上下に伸縮移動し、予定の高度に伸長後、内１本の分岐棒の径方向上のスライド動台における定位により、別の分岐棒上の径方向の凹孔に対応し固定を行い、前記２本の分岐棒間を制限し伸縮移動を行い、さらに緊密に前記２本の分岐棒を相互に合わせ固定し、連結することにより外部からの力を受け止めることを特徴とする。
５．請求項５に記載の伸縮式アルミ脚立は、請求項４の場合において、
前記各スライド動台は少なくとも相対する分岐棒に水平設置する係合固定ピンを含み、該係合固定ピンの一端は別の分岐棒上の凹孔と対応し、前記スライド動台は前記分岐棒外側部に組合され、その内縁は該各１本の係合固定ピンに対応し押しピンブロックを具え、該押しピンブロックは少なくとも１個の斜め押し面と少なくとも１個の接触面を具え、前記スライド動台は前記分岐棒外側面上においてスライド動し、該押しピンブロックの斜め押し面は該係合固定ピンの反対端から該凹孔方向に向かい押上げ、該係合固定ピンの一端は該凹孔に嵌入後、同時に該係合固定ピン上の圧縮バネを圧縮し、該接触面は該係合固定ピンの反対端に接触固定し、該係合固定ピンの該凹孔退出を制限し、このように、伸長した分岐棒の下方への収縮を制限することを特徴とする。
６．請求項６に記載の伸縮式アルミ脚立は、請求項１の場合において、
前記多数の分岐棒は相互に挿入接続しサポート棒を形成し、前記分岐棒の挿入接触面の少なくとも片側面上には凹嵌スライド槽を形成し、前記足踏み棒の固定を提供し、該凹嵌スライド槽に設置する可動棒台は底部に設置する嵌接部により凹嵌スライド槽内に嵌入試、前記分岐棒中ほど位置の凹嵌スライド槽内には固定部品を固定し、該固定部品により該可動棒台を止め、これにより該足踏み棒は前記分岐棒外側に沿って上部と中央部間において上下スライド移動を行い、前記分岐棒が相互に運動し収縮する時、該足踏み棒間は相互にぶつかり影響することはなく、しかも該２本の分岐棒間は相互に運動し伸長し、該固定部品により該可動棒台を連動し押し、該可動棒台は該分岐棒の伸長に従い引上げられ、使用時には、該分岐棒の中央部に定位され、人は足で踏み登ることができることを特徴とする。
７．請求項７に記載の伸縮式アルミ脚立は、請求項１の場合において、
前記多数の分岐棒は相互に挿入接続しサポート棒を形成し、該分岐棒の挿入接続面の少なくとも片側面上には鳩尾型凹嵌スライド槽を形成し、該足踏み棒の固定を提供し、該凹嵌スライド槽内に設置する可動棒台は底部に設置する鳩尾方嵌接部により該凹嵌スライド槽内に嵌入することを特徴とする。
【考案の効果】
【０００５】
上記のように、本考案では引き棒折畳み後の２本のはしごは閉鎖され合わさり、スライド動台を緩めるだけで、相対する分岐棒により下向きのスライド動収縮を行い、サポート棒の高さを低減可能である。また可動棒台は分岐棒上で上向きのスライド移動を行うため、足踏み棒間は相互に重ね合わされ、全体的な体積を縮小可能で、運搬及び収納に便利である。
【考案を実施するための最良の形態】
【０００６】
図１、２、３に示すように、本考案の伸縮式アルミ脚立は４本のサポート棒１０間に２本づつ対応し水平に設置する複数の足踏み棒２０を設置し２本のはしごを構成する。該２本のはしごの上端は結合板３０により相互に可動接続され、かつ展開可能な折畳み式の引き棒４０により展開角度の限定を行い、三角錐のフレーム構造を形成する。
該各サポート棒１０はそれぞれ３本の同一形態の分岐棒１１を相互に組合せ接続し構成される。しかも２本の該分岐棒１１相互間(図６、８参照)はその内１本の分岐棒１１の凹導槽１１０(その水平断面は概ね凹カギT状を呈する)によりもう１本の分岐棒１１の嵌接レール１１１(その水平断面は概ね対応したT型を呈する)に挿入接続し、該２本の分岐棒１１間は上下に伸縮スライド移動が可能である(図３、６、８参照)。また１本の該分岐棒１１上端に設置するスライド動台５４は反対の高度を伸ばした後の分岐棒１１と固定し、伸長を限定後の分岐棒１１は相互に縮小する。
【０００７】
さらに、該分岐棒１１は少なくともT型の凹嵌スライド槽１１２を含み、可動棒台６０を組合わせる。該可動棒台６０の底部は該凹嵌スライド槽１１２の形状に対応し、該凹嵌スライド槽１１２内においてスライド移動を行う。かつ、該凹嵌スライド槽１１２の適当な位置(図１、２、３参照。例えば、中央位置槽道内など)に固定部品７０を設置する。該固定部品７０は該凹嵌スライド槽１１２内において該可動棒台６０底部に対して固定作用を生じ、該可動棒台６０の該凹嵌スライド槽１１２上での可動範囲を制限する。
該足踏み棒２０は該可動棒台６０上に固定し、これにより該可動棒台６０は該分岐棒１１の凹嵌スライド槽１１２内において上下に移動する。
該各分岐棒１１の凹嵌スライド槽１１２の上端出口位置には、棒台６１(該可動棒台６０と同一構造)を固定し、２本が相対する棒台６１は任意の足踏み棒２０を固定し、該分岐棒１１に結合する。
【０００８】
次に図７に示すように、該引き棒４０折畳み後は２本のはしごは閉鎖され、該スライド動台５４を該分岐棒１１上より引くだけで該２本の分岐棒１１間の相対的な下方へのスライド移動により、該サポート棒１０の高さは収縮し低くなる。さらに該可動棒台６０の該分岐棒１１上でスライド移動可能な設計により、該可動棒台６０と該棒台６１上の足踏み棒２０を固定し、該分岐棒１１の下方へと移動し収縮を完成する過程において、一緒に該足踏み棒２０間の相互重ね合わせを実行する(図１１参照)。こうして、全体構造の体積を減少させ、運搬及び収納の便をはかる。
【０００９】
伸縮脚立を再度広げ使用する時には、はしごの第一段階の足踏み棒２０を上方へと引き上げることにより、最も内側の４本の分岐棒１１は引上げられ一緒に伸び出す作動過程において、該凹嵌スライド槽１１２内の固定部品７０により第二段階の足踏み棒２０を連動引き出す。かつ該第二段階の足踏み棒２０は伸長した分岐棒１１中ほどの位置を維持し、該スライド動台５４の挿入固定により、該サポート棒１０の第一段階分岐棒１１の高さを伸ばした状態の固定を完成する。
さらに、第三段階の足踏み棒２０を上に引上げる同様の動作に、該スライド動台５４の挿入固定を対応させ、該サポート棒１０の高さの伸長を完成し(おおよそ収縮動作の反対方向の動作)、予定の高度を達成する。次には閉鎖した該サポート棒１０を展開させ(図１参照)するだけで、人員が上り使用することができる。
該各可動棒台６０上の足踏み棒２０は、該可動棒台６０の底部が該凹嵌スライド槽１１２内に嵌接されるため、限定され直径方向から離脱する。しかも、該固定部品７０は該凹嵌スライド槽１１２内において該可動棒台６０に対してその下方へのスライドを制限するため、人員は該足踏み棒２０上を上っても、下方へと緩み外れるような危険は生じない。
【００１０】
続いて図４、５に示すように、該各１本のサポート棒１０の２本の分岐棒１１間は該凹導槽１１０と該嵌接レール１１１により相互に嵌接され伸縮移動する。該分岐棒１１の底端に近い位置の直径方向にはバネ８０(或いは他の弾性部品)により押される挿入ピン９０を設置する。またこれに対応し、該分岐棒１１上端に近い位置の直径方向には槽孔９１を開設し、該２本の分岐棒１１間は相互に伸縮し予定の位置まで引上げられる。該挿入ピン９０(例えば、前端の弧状面により)は該槽孔９１内に入り定位の作用を生じ(引っかからない)、また該スライド動台５４は迅速に該分岐棒１１を挿入固定することができる。
当然、該スライド動台５４が未挿入固定の状況では、少々力を加え該２本の分岐棒１１間に対して収縮動作を行わせ、該挿入ピン９０の前端は該槽孔９１を退出させられ、固定することはない。
【００１１】
さらに図４、５に示すように、実際は該各スライド動台５４は少なくとも相対する分岐棒１１に水平設置する係合固定ピン５２を含み、該係合固定ピン５２の一端は別の分岐棒１１上の凹孔５３と対応する。該スライド動台５４は該分岐棒１１外側部に組合され、その内縁は該各１本の係合固定ピン５２に対応し押しピンブロック５５を具える。該押しピンブロック５５は少なくとも１個の斜め押し面５５０と少なくとも１個の接触面５５１を具える。該スライド動台５４は該分岐棒１１外側面上においてスライド動し(図６、７、８、９参照)、該押しピンブロック５５の斜め押し面５５０は該係合固定ピン５２の反対端から該凹孔５３方向に向かい押上げる。該係合固定ピン５２の一端は該凹孔５３に嵌入後(同時に該係合固定ピン５２上の圧縮バネ５６を圧縮する)、該接触面５５１は該係合固定ピン５２の反対端に接触固定し、該係合固定ピン５２の該凹孔５３退出を制限する。このように、該係合固定ピン５２が該凹孔５３内に嵌入する係合固定作用により、伸長した分岐棒１１の下方への収縮を制限する。
反対に、該スライド動台５４の反対方向スライド動操作は、該押しピンブロック５５の接触面５５１により該係合固定ピン５２の固定を離れ、該圧縮バネ５６により該係合固定ピン５２を反対に押し該凹孔５３から退出させ、２本の分岐棒１１間の伸長操作を制限する。こうして、該分岐棒１１の伸縮固定操作の便を図る。
【００１２】
次に図１に示すように、該各サポート棒１０底部には水平方向に伸縮底台９２を連接する。２個の伸縮底台９２は伸縮脚立の展開後、ちょうど相互に平行状を呈し、該各伸縮底台９２は外筒台９２１及び２本の内棒９２２を含む。実施の使用の必要に応じて、該２本の内棒９２２該外筒台９２１の両端に向かって押され伸び(図２参照)、伸縮脚立の設置の安定性を向上させることができる。
【００１３】
上記のように、本考案の伸縮脚立は使用せず折畳む時には効果的に高さ(或いは長さ)を縮小可能で、運搬、移動、収蔵に便利である。またフレーム体の高さが高くなればなるほど、本考案が低減可能な高度の比率は明確になる。実施例では分岐棒１１の高度(約４メートル)を２節分追加しているが、折畳み後の高度(約１．３メートル)は一般の小型車に収納、積載可能な範囲である。
さらに実際は、該分岐棒１１間の凹導槽１１０と該嵌接レール１１１の相互嵌設伸縮スライド動は、鳩尾型凹槽と鳩尾型嵌接レールとして設置することもでき、これも同様に嵌設伸縮スライド動の効果を具える。該可動棒台６０を組合わせる凹嵌スライド槽１１２もまた相互に対応し鳩尾型体に設置可能で、同じく同様の作用を具える。
【図面の簡単な説明】
【００１４】
【図１】本考案の外観指示図である。
【図２】本考案の部分構造平面及び動作指示図である。
【図３】本考案の部分構造の動作指示図である。
【図４】本考案の部分構造の動作前指示図である。
【図５】本考案の部分構造の動作後指示図である。
【図６】本考案の部分構造の動作前俯瞰断面図である。
【図７】本考案の部分構造の動作前平面断面図である。
【図８】本考案の部分構造の動作後俯瞰断面図である。
【図９】本考案の部分構造の動作後平面断面図である。
【図１０】本考案を折畳み高さを下げない状態の指示図である。
【図１１】本考案を折畳み高さを下げた状態の指示図である。
【符号の説明】
【００１５】
１０  サポート棒
１１  分岐棒
１１０  凹導槽
１１１  嵌接レール
１１２  凹嵌スライド槽
２０  足踏み棒
３０  結合板
４０  引き棒
５２  係合固定ピン
５３  凹孔
５４  スライド動台
５５  押しピンブロック
５５０  斜め押し面
５５１  接触面
５６  圧縮バネ
６０  可動棒台
６１  棒台
７０  固定部品
８０  バネ
９０  挿入ピン
９１  槽孔
９２  伸縮底台
９２１  外筒台
９２２  内棒
【図１】
0003117751.tif 000003
【図２】
0003117751.tif 000004
【図３】
0003117751.tif 000005
【図４】
0003117751.tif 000006
【図５】
0003117751.tif 000007
【図６】
0003117751.tif 000008
【図７】
0003117751.tif 000009
【図８】
0003117751.tif 000010
【図９】
0003117751.tif 000011
【図１０】
0003117751.tif 000012
【図１１】
0003117751.tif 000013